(57)【要約】      （修正有）【課題】模様（主に布地）を有したデザインガラスであって、特に、１枚のガラスとしつつ、重量及び価格を半減させて、施工性及び取扱性を優れたものを提供する。【解決手段】透明又は半透明状の１枚の板ガラスＡと、印刷用フィルム１に図柄ｄを印刷したインク受容層２を覆うラミネートフィルム３と前記印刷用フィルム１の図柄ｄの反対側面に接着剤層６を介して設けた剥離用フィルムとからなる転写フィルムＢとを備え、前記剥離用フィルムを剥がして前記接着剤層６にて前記板ガラスＡに貼着されたデザインガラス。【選択図】図１
2009226644.tif 000002
【特許請求の範囲】
【請求項１】
透明又は半透明状の１枚の板ガラスと、印刷用フィルムに図柄を印刷したインク受容層を覆うラミネートフィルムと前記印刷用フィルムの図柄の反対側面に接着剤層を介して設けた剥離用フィルムとからなる転写フィルムとを備え、前記剥離用フィルムを剥がして前記接着剤層にて前記板ガラスに貼着されてなることを特徴とするデザインガラス。
【請求項２】
請求項１において、前記インク受容層と基本フィルムとの間に副接着剤層を設けてなることを特徴とするデザインガラス。
【請求項３】
請求項１又は２において、前記図柄は、布地の繊維模様としてなることを特徴とするデザインガラス。
【請求項４】
請求項１又は２において、前記図柄は、花模様としてなることを特徴とするデザインガラス。
【請求項５】
請求項１又は２において、前記図柄は、動物，人物，植物等の其の他模様としてなることを特徴とするデザインガラス。
【発明の詳細な説明】
【技術分野】
【０００１】
本発明は、模様（主に布地）を有したデザインガラスであって、特に、１枚のガラスとしつつ、重量及び価格を半減させて、施工性及び取扱性を優れたものにできるデザインガラスに関する。
【背景技術】
【０００２】
従来では、スクリーンパーテーション（間仕切り用引戸など）や、家具のテーブル、建具などにおいて、ガラスそのもので構成されている商品が存在している。また、特許文献１に示すような二重ガラス構造が存在しており、その内部構造にて目隠し機能を設けたものが存在している。これでは、依然として、二重構造が必須であった。そのような状況下において、図４に示すように、二重ガラスＡ，Ａの間に、布地Ｆを挟んだＥＶＡ膜Ｐを介在させ、前記布地Ｆそのものに模様の他は透明状にさせてガラス特有の特徴を出しつつ、高級感を出した、通称「布ガラス」（吊り形式の間仕切り用引戸など）が最近出回っている。
【特許文献１】特開２００５−１５５２４３
【発明の開示】
【発明が解決しようとする課題】
【０００３】
前記布ガラスは、高級感を出すことは事実であるが、二重構造ゆえに、重さが重く、取扱及び施工が面倒であるばかりではなく、価格的にも高価となっている。このため、本発明が解決しようとする課題（技術的課題又は目的等）は、その高級感を出すことは保持しつつ、重さを軽くし、取扱及び施工を簡易にするとともに、安価に施工できることを実現することである。
【課題を解決するための手段】
【０００４】
そこで、発明者は上記課題を解決すべく鋭意，研究を重ねた結果、請求項１の発明を、透明又は半透明状の１枚の板ガラスと、印刷用フィルムに図柄を印刷したインク受容層を覆うラミネートフィルムと前記印刷用フィルムの図柄の反対側面に接着剤層を介して設けた剥離用フィルムとからなる転写フィルムとを備え、前記剥離用フィルムを剥がして前記接着剤層にて前記板ガラスに貼着されてなることを特徴とするデザインガラスとしたことにより、前記課題を解決した。
【０００５】
請求項２の発明を、請求項１において、前記インク受容層と基本フィルムとの間に副接着剤層を設けてなることを特徴とするデザインガラスとしたことにより、前記課題を解決した。請求項３の発明を、請求項１又は２において、前記図柄は、布地の繊維模様としてなることを特徴とするデザインガラスとしたことにより、前記課題を解決した。請求項４の発明では、請求項１又は２において、前記図柄は、布地の花模様としてなることを特徴とするデザインガラスとしたことにより、前記課題を解決したものである。請求項５の発明では、請求項１又は２において、前記図柄は、動物，人物，植物等の其の他模様としてなることを特徴とするデザインガラスとしたことにより、前記課題を解決したものである。
【発明の効果】
【０００６】
請求項１の発明においては、従来の布ガラスと同様に高級感を出すことは事実であるが、転写フィルムに対して板ガラスが１枚であるがゆえに、重さが二重ガラスの半分となり、取扱及び施工が極めて簡易にでき、延いては、価格的にも安価にできる。具体的には、二重ガラスであると、幅約１．２ｍ×高さ約２．２ｍで、板ガラスの厚みが４ｍｍで、約１００ｋｇとなっていたのが、正に、その半分にできる。
【０００７】
さらに、布地の転写フィルムであるので、布地の費用に対して安価にできる利点がある。このようであっても、外観的には、従来と同様にできるという最大の効果を奏する。請求項２の発明も、請求項１の発明と同様の効果を生ずる。請求項３の発明は、繊維模様としたので、正に従来の布地をと同一の効果を発揮する。請求項４の発明では、花模様としたことで、明るい感じのデザインガラスを提供できる。請求項５の発明では、動物，人物，植物等の其の他模様としたことにより、種々の図柄のデザインガラスを提供できる。
【発明を実施するための最良の形態】
【０００８】
以下、本発明の実施形態について図面に基づいて説明すると、図１乃至図２は本発明の実施形態である。板ガラスＡと、転写フィルムＢとから構成されている。前記板ガラスＡは、透明又は半透明の一般的な板ガラス（ケイ酸塩ガラス等）又は強化ガラスを指す。板厚は、３mm乃至約６mmである。前記転写フィルムＢは、主に、印刷用フィルム１とインク受容層２とラミネートフィルム３と剥離用フィルム５とから構成されている。
【０００９】
前記転写フィルムＢの構造及び製造過程について説明する。前記印刷用フィルム１が所定のドラムに巻きつけられてドラムスキャナとされ、所望の布地模様等が前記印刷用フィルム１にインク受容層２（印刷面）として転写される。そして、該インク受容層２の保護面として前記ラミネートフィルム３が、副接着剤層４を介して貼着されている。前記印刷用フィルム１のインク受容層２に直接に前記ラミネートフィルム３がインク材質により強固に貼着されるときには、前記副接着剤層４は不要となる。
【００１０】
また、前記印刷用フィルム１のインク受容層２の反対側は、前記板ガラスＡ面に貼着される側であり、当該面に接着剤層６が貼着されている。該接着剤層６の外側には、剥離用フィルム本体５ａと剥離用接着剤層５ｂとからなる剥離用フィルム５が貼着されている。つまり、該剥離用フィルム５の剥離用接着剤層５ｂが前記接着剤層６に接着されている。このような構成の前記転写フィルムＢは、一般的な転写印刷技術によって可能である。特に、本発明では、被転写体として、布地の繊維模様ｄ１や、花模様ｄ２、動物，人物，植物等の其の他模様などの等の図柄ｄを表現したものである。
【００１１】
具体的な図柄ｄとしては、図３（Ａ）に示すように、木の幹状をデザイン化した集合体であって、その幹相互間は、透明又は半透明状に構成されている。図３（Ｂ）に示すように、花をデザイン化した集合体であって、その花相互間は、透明又は半透明状に構成されている。また、前記印刷用フィルム１の具体例としては、ポリエステル、ポリプロピレン、セロファン、ポリカーボネート、パラフィン紙等の薄葉紙、ポリエチレン、ポリ塩化ビニル、ポリスチレン、ナイロン、プラスティックシート等である。該印刷用フィルム１の厚さは、その強度及び耐熱性等が適切になるように、材料に応じて適宜変更するものであるが、その厚さは、好ましくは、約５０〜約１００μｍである。さらに好ましくは、約６０〜約８０μｍである。
【００１２】
前記印刷用フィルム１の表面に形成するインク受容層２（印刷面層）は、任意の被転写材に受容層を転写後に、インクジェットプリンター等のノズルから吐出したインクの液滴を受容して画像等を維持するためであり、水性インクに対して膨潤性を有する水溶性樹脂、例えば、でんぷん、アラビアゴム、カルボキシメチルセルロース、ポリアミド、メラミン樹脂、ポリウレタン、ポリエステル等の１種もしくは２種以上を混合使用できる。また、前記ラミネートフィルム３の具体例としては、その材質は、前記印刷用フィルム１と同等の材質であり、その厚さは、好ましくは、約８０〜約１３０μｍである。さらに好ましくは、約９０〜約１１０μｍである。
【００１３】
前記接着剤層６又は副接着剤層４は、被着体へ接着性を有するものであれば何れでもよい。常温で粘着性を有する材料を用いてもよいが、より好ましくは、適宜な接着剤にて形成でき、被着体への簡便接着性等の点より、感圧型やホットメルト型の接着剤が好ましく用いられる。さらに、前記剥離用フィルム５としては、基本的に先の印刷用フィルム１と同様の特性を持つものであればいずれでもよいが、接着剤層６から容易に剥離できる必要がある。好ましくは前記剥離用フィルム５の剥離用フィルム本体５ａの具体例としては、ポリエステル、ポリプロピレン、セロファン、ポリカーボネート、パラフィン紙等の薄葉紙、ポリエチレン、ポリ塩化ビニル、ポリスチレン、ナイロン、プラスティックシート等である。かかる構成の前記転写フィルムＢの前記剥離用フィルム５を剥がした後〔図２（Ａ）及び（Ｂ）の鎖線部参照〕に、転写フィルムＢが前記板ガラスＡに貼着されて構成されている。
【００１４】
本発明の転写フィルムＢ付き板ガラスＡとしては、図１（Ａ）に示すように、吊り形式の引戸として構成されている。この型式が一般的であるが、全体の転写フィルムＢ付き板ガラスＡの四周囲を枠材７にて囲まれて固定されている。その上辺部７ａの左右側に、ロールによるガイド走行部１０，１０が取付片１０ｃ，１０ｃを介して取付られている。前記ガイド走行部１０，１０は、天井又は天板状材などに設けられたガイドレール１１に転動可能に構成されている。前記ガイド走行部１０は、前記ガイドレール１１に対応するハングローラタイプとしたものである。そのガイド走行部１０は、走行本体部１０ａとローラ部１０ｂ，１０ｂとから構成されている。本発明のデザインガラスは、スクリーンパーテーション（吊り形式の間仕切り用引戸など）や、家具のテーブル、建具として構成されている。
【産業上の利用可能性】
【００１５】
本発明は、布地の繊維模様ｄ１や、花模様ｄ２等の図柄ｄを表現した転写フィルムＢを利用するスクリーンパーテーションに対して利用可能性が極めて高いものにできる。
【図面の簡単な説明】
【００１６】
【図１】（Ａ）は本発明を吊り形式の間仕切り用引戸に利用した一部断面とした側面図、（Ｂ）は（Ａ）のＸ−Ｘ矢視断面図、（Ｃ）は（Ｂ）の（ア）部拡大断面図である。
【図２】（Ａ）は第１実施形態の転写フィルムの断面図、（Ｂ）は第２実施形態の転写フィルムの断面図である。
【図３】（Ａ）は具体例とした本発明のデザインガラスの一部側面詳細図、（Ｂ）は別の具体例とした本発明のデザインガラスの一部側面詳細図である。
【図４】（Ａ）は従来技術としての吊り形式の間仕切り用引戸にした一部断面とした側面図、（Ｂ）は（Ａ）のＹ−Ｙ矢視断面図、（Ｃ）は（Ｂ）の（イ）部拡大断面図である。
【符号の説明】
【００１７】
Ａ…板ガラス、Ｂ…転写フィルム、１…印刷用フィルム、２…インク受容層、
３…ラミネートフィルム、４…副接着剤層、５…剥離用フィルム、６…接着剤層、
ｄ…図柄。
【図１】
2009226644.tif 000003
【図２】
2009226644.tif 000004
【図３】
2009226644.tif 000005
【図４】
2009226644.tif 000006